(57)【要約】【課題】ＤＥＦモードの要求により、最高の吹出温度を許容し、曇りを抑制する。【解決手段】利用者は、操作パネル６１を操作することにより、ＤＥＦモードを要求することができる。空調制御装置６０は、結露センサ６２からの信号によって、ウインドシールド９が曇り得る可曇状態であることを判定することができる。空調制御装置６０は、ＤＥＦモードが要求されると、吹出モード切換装置３１をＤＥＦモードに切換える。さらに、空調制御装置６０は、可曇状態が判定されると、空調装置２０の吹出温度を上昇させる。空調制御装置６０は、冷凍サイクル４０の加熱用熱交換器２６の目標温度を最高温度に設定し、冷凍サイクル４０を制御する。この結果、空調装置２０の吹出空気によってウインドシールド９が間接的に加熱され、曇りが抑制される。【選択図】図１
2014008859.tif 000002
【特許請求の範囲】
【請求項１】
車両のウインドシールドへ向けて空気を吹出すデフロスタ吹出口（ＤＥＦ）を含む複数の吹出口を選択することにより、前記デフロスタ吹出口から空気を吹き出すＤＥＦモードを含む複数の吹出モードを切換え可能な吹出モード切換装置（３１）と、
前記車両の室内に吹出される空気を加熱する空気加熱装置（２６、２７、２８、３０、４０）と、
利用者により前記ＤＥＦモードが要求されているか否かを判定するＤＥＦモード判定部（６３、１７４）と、
前記ウインドシールドが曇り得る可曇状態であるか否かを判定する可曇状態判定部（６３、１７５、２９２、４７５）と、
前記ＤＥＦモードが要求され、かつ、前記可曇状態であるとき、前記ＤＥＦモードに前記吹出モード切換装置を固定制御し、さらに最大限に空気を加熱するように前記空気加熱装置を固定制御することにより、吹出空気によってウインドシールドを間接的に加熱し曇りを抑制する固定制御部（６５、１９０、１９１、１９２、２９２、３９２）とを備えることを特徴とする車両用空調装置。
【請求項２】
さらに、室内の温度（Ｔｒ）を目標温度（Ｔｓｅｔ）にフィードバック制御するように前記空気加熱装置をフィードバック制御する通常制御部（６４、１８０、１８２）を備え、
前記固定制御部は、前記通常制御部による前記フィードバック制御に代わって、前記空気加熱装置を固定制御することを特徴とする請求項１に記載の車両用空調装置。
【請求項３】
前記空気加熱装置は、前記車両の室内に吹出される空気を加熱する室内熱交換器（２６）を有する冷凍サイクル（４０）を備え、
前記固定制御部は、前記室内熱交換器の目標温度を最高温度に設定することにより前記冷凍サイクルを固定制御することを特徴とする請求項１または請求項２に記載の車両用空調装置。
【請求項４】
前記空気加熱装置は、前記車両の室内に吹出される空気を加熱する電気ヒータ（２７）を備え、
前記固定制御部は、前記電気ヒータを作動状態にすることにより前記電気ヒータを固定制御することを特徴とする請求項１から請求項３のいずれかに記載の車両用空調装置。
【請求項５】
前記空気加熱装置は、前記車両の室内に吹出される空気を媒体によって加熱する温媒体熱交換器（２８）を備え、
前記固定制御部は、前記温媒体熱交換器の目標温度を最高温度に設定することにより前記温媒体熱交換器を固定制御することを特徴とする請求項１から請求項４のいずれかに記載の車両用空調装置。
【請求項６】
前記空気加熱装置は、前記媒体を加熱する媒体ヒータ（３０）を備え、
前記固定制御部は、前記媒体ヒータを作動状態にすることにより前記媒体ヒータを固定制御することを特徴とする請求項５に記載の車両用空調装置。
【請求項７】
さらに、前記ウインドシールドの曇りを検出するセンサ（６２）を備え、
前記可曇状態判定部は、前記センサからの信号に基づいて、前記ウインドシールドが曇り得るか否かを判定することを特徴とする請求項１から請求項６のいずれかに記載の車両用空調装置。
【請求項８】
前記可曇状態判定部は、前記ウインドシールド９の温度に影響を与える情報、および前記車両の室内の空調状態を示す情報の組み合わせに基づいて、前記ウインドシールドが曇り得るか否かを判定することを特徴とする請求項１から請求項６のいずれかに記載の車両用空調装置。
【請求項９】
前記可曇状態判定部（２９２）と前記固定制御部（２９２）とは、前記ウインドシールドに曇りが発生する可能性の高さ（ＲＨＷ）が前記可曇状態（ＲＨ２）に向けて高くなるほど、前記空気加熱装置による空気の加熱量（ＴＡＶ）を大きく設定する設定特定によって提供され、前記設定特性は、前記可能性の高さ（ＲＨＷ）が前記可曇状態（ＲＨ２）にあるとき、前記加熱量（ＴＡＶ）を最高値（ＴＡＶＨ）に設定するように設定されていることを特徴とする請求項１から請求項８のいずれかに記載の車両用空調装置。
【発明の詳細な説明】
【技術分野】
【０００１】
本発明は、車両に搭載される空調装置に関する。
【背景技術】
【０００２】
特許文献１は、室内熱交換器（特許文献１では蒸発器と呼ばれている）に高温の冷媒を供給することにより暖房運転を可能とした冷凍サイクルを備える車両用空調装置を開示する。さらに、蒸発器吹出し温度Ｔｅを窓ガラス温度Ｔｗｓ以下となるように制御すれば、窓ガラスの曇りをより確実に防止することができるという知見を開示している。
【先行技術文献】
【特許文献】
【０００３】
【特許文献１】特開２００７−２２３５４４号公報
【発明の概要】
【発明が解決しようとする課題】
【０００４】
従来技術では、冬期などにおける暖房運転においても室内熱交換器の温度を低く維持する必要がある。これでは、室内熱交換器による空気の加熱量が制限され、空気を十分に加熱できない場合がある。一方、室内熱交換器によって空気を十分に加熱すると、曇りの抑制が不十分となる場合がある。
【０００５】
上述の観点において、車両用空調装置には、さらなる改良が求められている。
【０００６】
本発明のひとつの目的は、特定の条件下においてのみ空調装置からの吹出温度を最大限に上昇させ、ウインドシールドを間接的に加熱することによって、その曇りを抑制することができる車両用空調装置を提供することである。
【０００７】
本発明の他の目的は、デフロスタ吹出が要求されたときに、ウインドシールドの曇りを抑制するための最高の吹出温度を許容することにより、快適性を過度に損なうことなく、曇りを抑制することができる車両用空調装置を提供することである。
【課題を解決するための手段】
【０００８】
開示されたひとつの発明は上記目的を達成するために以下の技術的手段を採用する。なお、特許請求の範囲およびこの項に記載した括弧内の符号は、ひとつの態様として後述する実施形態に記載の具体的手段との対応関係を示すものであって、開示された発明の技術的範囲を限定するものではない。
【０００９】
開示された発明のひとつは、車両のウインドシールドへ向けて空気を吹出すデフロスタ吹出口（ＤＥＦ）を含む複数の吹出口を選択することにより、デフロスタ吹出口から空気を吹き出すＤＥＦモードを含む複数の吹出モードを切換え可能な吹出モード切換装置（３１）と、車両の室内に吹出される空気を加熱する空気加熱装置（２６、２７、２８、３０、４０）と、利用者によりＤＥＦモードが要求されているか否かを判定するＤＥＦモード判定部（６３、１７４）と、ウインドシールドが曇り得る可曇状態であるか否かを判定する可曇状態判定部（６３、１７５、２９２、４７５）と、ＤＥＦモードが要求され、かつ、可曇状態であるとき、ＤＥＦモードに吹出モード切換装置を固定制御し、さらに最大限に空気を加熱するように空気加熱装置を固定制御することにより、吹出空気によってウインドシールドを間接的に加熱し曇りを抑制する固定制御部（６５、１９０、１９１、１９２、２９２、３９２）とを備えることを特徴とする。
【００１０】
この構成によると、ＤＥＦモードが要求され、しかもウインドシールドが曇り得る状態のときに、最大限に空気が加熱される。最大限に加熱された空気はＤＥＦモードへの切換えによって、デフロスタ吹出口からウインドシールドに向けて吹出される。この結果、空調装置によってウインドシールドが間接的に加熱され、ウインドシールドの曇りが抑制される。
【図面の簡単な説明】
【００１１】
【図１】本発明の第１実施形態に係る電動車両システムを示すブロック図である。
【図２】第１実施形態の空調制御を示すフローチャートである。
【図３】本発明の第２実施形態に係る空調制御を示すフローチャートである。
【図４】本発明の第３実施形態に係る電動車両システムを示すブロック図である。
【図５】第３実施形態に係る空調制御を示すフローチャートである。
【図６】本発明の第４実施形態に係る電動車両システムを示すブロック図である。
【図７】第４実施形態の空調制御を示すフローチャートである。
【図８】第４実施形態の空調制御を示すフローチャートである。
【発明を実施するための形態】
【００１２】
以下に、図面を参照しながら開示された発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。また、後続の実施形態においては、先行する実施形態で説明した事項に対応する部分に百以上の位だけが異なる参照符号を付することにより対応関係を示し、重複する説明を省略する場合がある。各実施形態で具体的に組合せが可能であることを明示している部分同士の組合せばかりではなく、特に組合せに支障が生じなければ、明示してなくとも実施形態同士を部分的に組み合せることも可能である。
【００１３】
（第１実施形態）
図１において、電動車両システム１は、電動車両に搭載されている。電動車両は、蓄電池と電動機とを備える電気的な駆動システムを含む車両である。電動車両は、道路走行車両、船舶、または航空機である。電動車両は、電気的な駆動システムだけを備えるいわゆる電気自動車によって提供することができる。電動車両は、電気的な駆動システムに加えて、燃料タンクと内燃機関と備える内燃機関システムを備えるハイブリッド車両によって提供されてもよい。
【００１４】
電動車両システム１は、高圧電池（ＨＶＢＴ）２を備える。高圧電池２は二次電池である。高圧電池２は、リチウムイオン電池などによって提供することができる。高圧電池２は、数百ボルトの比較的高い電圧を供給する。高圧電池２は、定置型の広域電力網から、または車両に搭載された発電機から充電される。電動車両システム１は、電池制御装置（ＢＴＣＵ）３を備える。電池制御装置３は、高圧電池２の充放電を監視し、その充放電を制御する。
【００１５】
電動車両システム１は、走行用の電動機（ＤＲＭＴ）４を備える。電動機４は、電動車両の駆動輪を駆動する。高圧電池２は、主として電動機４に給電するために設計されている。
【００１６】
電動車両システム１は、電動車両に搭載された高圧機器（ＨＶＤＶ）５を備える。高圧機器５は、走行用の電動機４を含まない。高圧機器５は、高圧電池２からの給電に適合した定格電圧をもつ機器である。
【００１７】
電動車両システム１は、コンバータ（ＣＯＮＶ）６と低圧電池（ＬＶＢＴ）７とを備える。コンバータ６は、高圧電池２から供給される電力を変換し、低圧電池７に供給する。コンバータ６は、低圧電池７を充電する。コンバータ６は、高圧機器５のひとつでもある。低圧電池７は、比較的低い電圧の二次電池である。低圧電池７は、十ボルト程度、例えば１２ボルト、または２４ボルトといった電圧を供給する。低圧電池７は、コンバータ８を経由して高圧電池２から充電される。
【００１８】
高圧電池２の残量が十分に多い場合、コンバータ６は、低圧電池７の残量を目標レベルに維持するように低圧電池７を充電する。高圧電池２が電動機４を駆動できない程度に放電した時であっても、低圧電池７は複数の負荷に給電し、それらを作動させることができるように低圧電池７は充電される。高圧電池２の残量が少ないときには、コンバータ６は低圧電池７への充電を停止してもよい。これにより、高圧電池２の残量の過剰な低下が抑制される。コンバータ６が低圧電池７への充電を停止しても、所定時間の間は、低圧電池７は、それに接続された複数の負荷へ給電を継続することができる。例えば、低圧電池７の容量は、高圧電池２の残量が少ないと判定されてから、高圧電池２が充電されるまでの低蓄電量期間にわたって負荷への給電を継続することができるように設定することができる。
【００１９】
電動車両システム１は、複数の低圧機器（ＬＶＤＶ）８を備える。複数の低圧機器８は、高圧電池２の電圧より低い電圧で作動する。複数の低圧機器８は、低圧電池７から供給される電力によって作動する。複数の低圧機器８は、後述する空調装置２０のほとんどの機器を含む。唯一、空調装置２０の電動圧縮機４１だけが低圧機器８に含まれない。
【００２０】
電動車両システム１は、車両のウインドシールド９を備えることができる。ウインドシールド９は、車両の運転者の前方に設置されている。ウインドシールド９は、フロントガラスとも呼ばれる。ウインドシールド９は、曇り抑制制御の対象である。
【００２１】
電動車両システム１は、ウインドシールド９に設けられた窓ヒータ（ＷＤＳＨ）１０を備える。窓ヒータ１０は、ウインドシールド９に設けられ、ウインドシールド９を直接的に加熱することができる電気的なヒータ装置である。窓ヒータ１０は、ウインドシールド９に敷設された電熱線、またはウインドシールド９に貼り付けられた透明発熱体によって提供することができる。窓ヒータ１０は、低圧機器８のひとつであって、低圧電池７から給電される。
【００２２】
窓ヒータ１０は、電動圧縮機が停止しているときにもウインドシールド９に対する加熱機能を発揮できる要素である。窓ヒータ１０は、ウインドシールド９を直接的に加熱できる唯一の加熱要素である。窓ヒータ１０は、ウインドシールド９の温度を直接的に上昇させることにより、直接的にウインドシールド９の曇りを抑制する。窓ヒータ１０は、曇り抑制装置のひとつである。曇り抑制装置は、高圧電池２より低い電圧で作動する低圧機器８に給電する低圧電池７から給電され、電動車両のウインドシールド９の曇りを抑制する。
【００２３】
電動車両システム１は、車両用の空調装置（ＡＩＲＣ）２０を備える。窓ヒータ１０は、空調装置２０のひとつの構成要素として考えることができる。空調装置２０は、空調ユニット（ＨＶＡＣ）２１を備える。空調ユニット２１は、ＨＶＡＣ（Heating Ventilating and Air-Conditioning）ユニットとも呼ばれる。空調ユニット２１は、電動車両の室内の暖房、換気、および冷房のための複数の要素２２−３１を備える。空調ユニット２１は、室内に向けて空気を流すことができるダクトを提供する。
【００２４】
内外気切換装置２２は、空調ユニット２１に導入する空気を選択する。内外気切換装置２２は、内気（ＲＣＬ）、または外気（ＦＲＳ）のいずれかを選択することができる。内外気切換装置２２は、内気と外気との割合を連続的にまたは段階的に調節してもよい。内外気切換装置２２は、内気通路と、外気通路と、切換えダンパ機構とによって提供することができる。
【００２５】
内気は、室内から循環的に導入された空気である。外気は、室外から新たに導入された空気である。室内に暖房が求められるとき、外気は内気より低温であることが多い。このため、外気は内気より低湿度であることが多い。また、室内に居る利用者に起因して、外気は内気より低湿度であることが多い。よって、外気は、空調ユニット２１からの吹出空気の湿度を低下させるために、または室内の湿度を低下させるために利用することができる。
【００２６】
内外気切換装置２２は、室外から外気を導入する外気モードと、室内の内気を循環する内気モードとを切換える。内外気切換装置２２は、外気モードを選択しているときに室内の湿度を低下させる。内外気切換装置２２は、電動圧縮機が停止しているときにも室内の湿度を低下させる湿度低下装置のひとつである。内外気切換装置２２は、室内の湿度を低下させることにより、間接的にウインドシールド９の曇りを抑制する。内外気切換装置２２は、曇り抑制装置のひとつである。
【００２７】
送風機２３は、空調ユニット２１内において、室内に向かう空気流を発生させる。送風機２３は、ブロワファンとも呼ばれる。
【００２８】
冷却用熱交換器２４は、後述する冷凍サイクル４０の一部である。冷却用熱交換器２４は、冷凍サイクル４０の室内熱交換器である。冷却用熱交換器２４は、冷凍サイクル４０の蒸発器によって提供される。冷却用熱交換器２４は、冷媒によって空調ユニット２１内を流れる空気を冷却する。冷却用熱交換器２４には、冷凍サイクル４０を流れる低温低圧の冷媒が流れる。冷却用熱交換器２４は、空調ユニット２１内を流れる空気の全量を冷却するように配置されている。
【００２９】
冷却用熱交換器２４は、高圧機器５である電動圧縮機４１が作動するときにだけ、空気を冷却することができる。よって、冷却用熱交換器２４は、電動圧縮機４１が停止しているときに空気を冷却する機能を失う空気冷却要素である。冷却用熱交換器２４は、冷凍サイクル４０が冷却運転されるときにだけ冷却機能を発揮する。冷却用熱交換器２４の表面には、冷却機能を発揮している間に結露水が発生する。冷却用熱交換器２４が冷却機能を失うと、結露水は蒸発し、室内に吹出される。冷却用熱交換器２４は、空調装置２０における唯一の空気冷却要素である。
【００３０】
エアミックスダンパ２５は、空調ユニット２１内において温風と冷風との割合を調節することにより、吹出空気の温度を調節する。エアミックスダンパ２５は、後述する空気加熱要素を通過する空気量と、空気加熱要素をバイパスする空気量との割合を調節する。エアミックスダンパ２５は、吹出空気の温度を調節する温度調節部材を提供する。
【００３１】
加熱用熱交換器２６は、後述する冷凍サイクル４０の一部である。加熱用熱交換器２６は、冷凍サイクル４０の室内熱交換器である。加熱用熱交換器２６は、冷凍サイクル４０の凝縮器によって提供される。加熱用熱交換器２６は、冷媒によって空調ユニット２１内を流れる空気を加熱する。加熱用熱交換器２６には、高温高圧の冷媒が流れる。加熱用熱交換器２６は、空調ユニット２１内を流れる空気の少なくとも一部を加熱するように配置されている。加熱用熱交換器２６は、空気加熱要素のひとつである。
【００３２】
加熱用熱交換器２６は、高圧機器５である電動圧縮機４１が作動するときにだけ、空気を加熱することができる。よって、加熱用熱交換器２６は、電動圧縮機４１が停止しているときにウインドシールド９に対する加熱機能を失う空気加熱要素である。
【００３３】
電気ヒータ２７は、空調ユニット２１内を流れ室内に吹出される空気を電力によって加熱する。電気ヒータ２７は、空調ユニット２１内を流れる空気の少なくとも一部を加熱するように配置されている。電気ヒータ２７は、電気的な発熱素子によって提供される。電気ヒータは、ＰＴＣ（Positive Temperature Coefficient）ヒータと呼ばれる発熱素子によって提供される。電気ヒータ２７は、低圧機器８のひとつである。電気ヒータ２７は、低圧電池７から給電される。
【００３４】
電気ヒータ２７は、電動車両の室内に吹出される空気を加熱し、ウインドシールド９を間接的に加熱する空気加熱要素のひとつである。電気ヒータ２７は、電動圧縮機４１が停止しているときにもウインドシールド９に対する加熱機能を発揮できる空気加熱要素である。電気ヒータ２７は、ウインドシールド９を間接的に加熱できる加熱要素のひとつである。電気ヒータ２７は、ウインドシールド９の温度を上昇させることにより、間接的にウインドシールド９の曇りを抑制する。電気ヒータ２７は、曇り抑制装置のひとつである。
【００３５】
吹出モード切換装置３１は、空調ユニット２１から室内への空気の吹出モードを切換える。吹出モード切換装置３１は、複数の吹出口を選択的に開閉することにより、複数の吹出モードを提供する。吹出モード切換装置３１は、複数の空気通路と、それら空気通路を開閉する複数のダンパ装置とを備えることができる。例えば、吹出モード切換装置３１は、デフロスタ吹出口（ＤＥＦ）、フェイス吹出口（ＦＣ）、およびフット吹出口（ＦＴ）を提供する。吹出モード切換装置３１は、これら複数の吹出口を組み合わせて、複数の吹出モードを提供する。デフロスタ吹出モードにおいては、空調ユニット２１内を流れた空気がデフロスタ吹出口（ＤＥＦ）から主としてウインドシールド９に向けて吹出される。フェイス吹出モードにおいては、空調ユニット２１内を流れた空気がフェイス吹出口（ＦＣ）から主として乗員の上半身に向けて吹出される。フット吹出モードにおいては、空調ユニット２１内を流れた空気がフット吹出口（ＦＴ）から主として乗員の足元に向けて吹出される。
【００３６】
空調装置２０は、冷凍サイクル（ＣＹＣＬ）４０を備える。冷却用熱交換器２４は、冷凍サイクル４０の冷却用の室内熱交換器を提供する。加熱用熱交換器２６は、冷凍サイクル４０の加熱用の室内熱交換器を提供する。冷凍サイクル４０は、少なくとも空気の冷却を可能とするために、少なくとも冷却用熱交換器２４を備える。この実施形態の冷凍サイクル４０は、空気の冷却および空気の加熱の両方が可能なヒートポンプサイクルである。
【００３７】
冷凍サイクル４０は、電動圧縮機４１を備える。電動圧縮機４１は、圧縮機４２と、電動機（ＣＰＭＴ）４３とを備える。圧縮機４２の回転軸は、電動機４３の回転軸に連結されている。電動機４３は、圧縮機４２を駆動する。圧縮機４２は、電動機４３によって駆動されることにより、冷媒を吸入し、吸入した冷媒を圧縮し、圧縮された冷媒を吐出する。電動機４３は、高圧機器５のひとつである。電動機４３は、高圧電池２から高電圧を給電されて回転する。電動機４３は、電動車両に搭載された電気的な負荷の中でも消費電力が大きい負荷のひとつである。図示の例においては、電動機４３は、走行用電動機４に次いで消費電力が大きい電気的な負荷である。よって、電動機４３への給電を禁止することにより、高圧電池２残量の減少を抑制することができる。電動機４３への給電を禁止することにより、電動車両の走行距離を延長することが可能である。
【００３８】
圧縮機４２の吸入側には気液分離器４４が設けられている。圧縮機４２は、気液分離器４４から冷媒を吸入する。圧縮機４２の吐出側には、加熱用熱交換器２６が設けられている。圧縮機４２は、高温高圧の冷媒を加熱用熱交換器２６に供給する。加熱用熱交換器２６は、冷凍サイクル４０における放熱器、または凝縮器として機能する。
【００３９】
冷凍サイクル４０は、室外熱交換器４５を備える。室外熱交換器４５は、電動車両の室外に設置され、外気と熱交換可能に構成されている。室外熱交換器４５は、蒸発器、または放熱器として機能することができる。室外熱交換器４５は、加熱用熱交換器２６と冷却用熱交換器２４との間に設けられている。加熱用熱交換器２６を流れた冷媒は、室外熱交換器４５に供給される。室外熱交換器４５を流れた冷媒は、冷却用熱交換器２４に供給可能である。
【００４０】
加熱用熱交換器２６と室外熱交換器４５との間には、減圧器４６と開閉弁４７とを含む並列回路が配置されている。並列回路は、冷凍サイクル４０における切換装置の一部を提供する。減圧器４６は、膨張弁またはキャピラリチューブによって提供することができる。開閉弁４７は、電磁アクチュエータを備える電磁弁である。加熱用熱交換機２６を流れた冷媒は、減圧器４６または開閉弁４７を通して室外熱交換器４５へ流入する。開閉弁４７が開かれているとき、冷媒は、開閉弁４７を流れる。よって、加熱用熱交換器２６を流れた冷媒は、高温高圧のまま、室外熱交換器４５に流れる。開閉弁４７が開かれて入るとき、室外熱交換器４５は、放熱器として機能する。
【００４１】
室外熱交換器４５と冷却用熱交換器２４との間には、減圧器４８と切換弁４９とを含む直列回路が配置されている。直列回路は、冷凍サイクル４０における切換装置の一部を提供する。減圧器４８は、膨張弁またはキャピラリチューブによって提供することができる。切換弁４９は、電磁アクチュエータを備える電磁弁である。切換弁４９は、３ポート切換弁である。切換弁４９は、室外熱交換器４５に連通する共通ポートと、減圧器４８に連通する第１ポートと、気液分離器４４に連通する第２ポートとを有する。第２ポートは、室外熱交換器４５を流れた冷媒が、減圧器４８および冷却用熱交換器２４を経由することなく、気液分離器４４に流れることができるバイパス通路を提供する。切換弁４９は、共通ポートと第１ポートとの間の連通状態と、共通ポートと第２ポートとの間の連通状態とを選択的に提供する。切換弁４９が共通ポートと第１ポートとを連通するとき、冷媒は、減圧器４８と冷却用熱交換器２４とを流れる。よって、室外熱交換器４５を流れた冷媒は、減圧器４８によって減圧され、冷却用熱交換器２４を流れる。このとき、低温低圧の冷媒は、冷却用熱交換器２４において蒸発し、空調ユニット２１内の空気を冷却する。よって、切換弁４９が減圧器４８に冷媒を流すとき、冷却用熱交換器２４は蒸発器として機能する。切換弁４９が共通ポートと第２ポートとを連通するとき、冷媒は冷却用熱交換器２４をバイパスして流れる。よって、室外熱交換器４５を流れた冷媒は、そのまま気液分離器４４を経由して、圧縮機４２に吸入される。このとき、加熱用熱交換器２６だけが機能する。
【００４２】
開閉弁４７および切換弁４９は連動して制御される。開閉弁４７が開くとき、切換弁４９は、減圧器４９と冷却用熱交換器２４とに冷媒を流す。このとき、冷却用熱交換器２４は蒸発器として機能することによって空調ユニット２１内を流れる空気を冷却し、加熱用熱交換器２６は放熱器として機能することによって空調ユニット２１内を流れる空気を加熱する。空調ユニット冷媒を開閉弁４７が閉じるとき、切換弁４９は、減圧器４９と冷却用熱交換器２４とをバイパスして冷媒を流す。このとき、冷却用熱交換器２４は無効化され、加熱用熱交換器２６は放熱器として機能することによって空調ユニット２１内を流れる空気を加熱する。
【００４３】
空調装置２０は、空調のための制御装置（ＡＣＣＵ）６０を備える。空調制御装置６０は、空調装置２０を制御するための制御システムを構成する。空調制御装置６０は、複数のセンサを含む複数の入力装置から信号を入力し、それら信号と予め設定された制御プログラムとに基づいて複数のアクチュエータを制御する。
【００４４】
例えば、空調制御装置６０は、室内の温度制御に関連する複数のアクチュエータを制御する。空調制御装置６０は、室内の温度である室温Ｔｒが目標温度Ｔｓｅｔに一致するように、エアミックスダンパ２５、および送風機２３を制御することができる。また、空調制御装置６０は、電池制御装置３によって許容された可用電力量Ｐｃｍの範囲内で、電動圧縮機４１を運転することができる。さらに、空調制御装置６０は、複数の弁４７、４９を制御することによって、冷却用熱交換器２４および加熱用熱交換器２６を所定の温度状態に制御することができる。さらに、空調制御装置６０は、ウインドシールド９の曇りの抑制に直接的に、または間接的に関与できる複数のアクチュエータを制御する。
【００４５】
空調装置２０は、操作パネル（ＰＡＮＬ）６１を備える。操作パネル６１は、空調装置２０を操作するための複数のスイッチと、空調装置２０の作動状態を示す表示装置とを備える。よって、操作パネル６１は、入力装置のひとつであるとともに、制御システムの出力装置のひとつでもある。複数のスイッチは、目標温度を設定するための設定器、内気または外気を選択する内外気スイッチ、風量を設定する風量スイッチ、冷房または暖房を選択するエアコンスイッチ、および吹出モードを選択する吹出モードスイッチを含むことができる。吹出モードスイッチは、デフロスタ吹出口（ＤＥＦ）からのデフロスタ吹出モードを選択するためのＤＥＦスイッチを含むことができる。利用者は、操作パネル６１を操作することにより、デフロスタ吹出モードを要求することができる。
【００４６】
空調装置２０は、複数のセンサを備える。複数のセンサは、ウインドシールド９の内側の表面における相対湿度ＲＨＷを検出する結露センサ（ＦＧＳＮ）６２を含む。結露センサ６２は、ウインドシールド９の曇りを検出するセンサを提供する。結露センサ６２の出力信号は、ウインドシールド９の内側表面温度における相対湿度ＲＨＷを示す。よって、結露センサ６２が出力する相対湿度ＲＨＷが１００％を上回ると、ウインドシールド９に曇りが生じる可能性があるといえる。一方、結露センサ６２が出力する相対湿度ＲＨＷが１００％を下回る場合、ウインドシールド９に曇りが生じる可能性はないと判定できる。また、結露センサ６２が出力する相対湿度ＲＨＷが１００％を大幅に上回る場合、ウインドシールド９に曇りが生じる可能性が高いと判定できる。
【００４７】
空調制御装置６０は、例えば、室温Ｔｒを検出する室温センサ、目標温度Ｔｓｅｔを設定する設定器、および外気温度Ｔａｍを検出する外気温度センサから信号を入力する。空調制御装置６０は、日射量を検出する日射センサ、および冷却用熱交換器２４の熱交換用フィンの表面温度を検出するセンサから信号を入力することができる。空調制御装置６０は、冷凍サイクル４０の現在の運転状態、すなわち冷房運転か暖房運転かを示す信号を入力することができる。空調制御装置６０は、冷凍サイクル４０の各部における冷媒圧力、および／または冷媒温度を検出する複数のセンサから信号を入力することができる。例えば、冷凍サイクル４０の高圧冷媒の圧力を検出するセンサ、および低圧冷媒の圧力を検出するセンサから信号を入力することができる。
【００４８】
さらに、空調制御装置６０は、電動圧縮機４１の現在の消費電力量（ＶＡ）を示す信号を内部的に、または外部から取得することができる。さらに、空調制御装置６０は、電動圧縮機４１の現在の出力指示値（ＩＶＯｏｕｔ）を示す信号を内部的に、または外部から取得することができる。さらに、空調制御装置６０は、電動圧縮機４１において利用可能な電力量の上限を示す可用電力量Ｐｃｍを電池制御装置３から取得することができる。さらに、空調制御装置６０は、高圧電池２に充電されている電力の残量Ｂｒｍを電池制御装置３から取得することができる。
【００４９】
空調制御装置６０は、間接加熱状態であるか否かを判定する間接加熱判定部（ＷＨＤＴ）６３を備える。間接加熱状態は、曇りを抑制するために空気加熱装置によって間接的にウインドシールド９を加熱する必要がある状態を指している。
【００５０】
空調制御装置６０は、間接加熱状態が判定されないとき、空調装置２０に含まれる複数の低圧機器８を可変制御する通常制御部（ＮＲＣＴ）６４を備える。通常制御部６４は、結露センサ６２からの信号に基づいてウインドシールド９の曇りを抑制するように空調装置２０の構成要素をフィードバック制御するフィードバック制御部とも呼ぶことができる。通常制御部６４は、結露センサ６２からの信号に基づいて、ウインドシールド９の曇りを抑制するように低圧機器８をフィードバック制御する。具体的には、通常制御部６４は、結露センサ６２からの信号に基づいて、ウインドシールド９の曇りを抑制するように少なくとも曇り抑制装置１０をフィードバック制御する。
【００５１】
さらに、空調制御装置６０は、間接加熱状態にあるときに、ウインドシールド９の曇りを抑制するために空調装置２０の吹出温度を最高温度に固定的に制御する固定制御部（ＳＴＣＴ）６５を備える。間接加熱状態が判定されるとき、固定制御部６５は、通常制御部６４によるフィードバック制御に代わって、加熱用熱交換器２６による空気加熱の目標温度ＴＡＶを最高温度に固定制御する。間接加熱状態が判定されるとき、吹出モード切換装置３１および冷凍サイクル４０以外の空調装置２０の構成要素は通常制御部６４による可変制御の下に置かれる。固定制御部６５は、間接加熱判定部６３の判定結果に応答して、上記固定的な制御を実行する。
【００５２】
電池制御装置３および空調制御装置６０は、コンピュータによって読み取り可能な記憶媒体を備えるマイクロコンピュータによって提供される。記憶媒体は、コンピュータによって読み取り可能なプログラムを非一時的に格納している。記憶媒体は、半導体メモリまたは磁気ディスクによって提供されうる。プログラムは、制御装置によって実行されることによって、制御装置をこの明細書に記載される装置として機能させ、この明細書に記載される制御方法を実行するように制御装置を機能させる。制御装置が提供する手段は、所定の機能を達成する機能的ブロック、またはモジュールとも呼ぶことができる。
【００５３】
電池制御装置３は、高圧電池２に充電されている電力量の残量Ｂｒｍを示す信号を出力する。さらに、電池制御装置３は、高圧電池２から給電される複数の機器に許容された可用電力量を示す信号を出力する。例えば、電池制御装置３は、空調装置２０の電動圧縮機４１が利用可能な可用電力量Ｐｃｍを示す信号を出力する。
【００５４】
図２は、ウインドシールド９における曇りを抑制するための曇り抑制処理１７０を示す。空調制御装置６０は、曇り抑制処理１７０を所定周期で繰り返して実行する。
【００５５】
ステップ１７１では、空調制御装置６０は、曇り抑制処理１７０に必要な情報を取得する。例えば、冷却用熱交換器２４の冷却作用の停止を示す冷凍サイクル４０の運転状態を示す信号、および相対湿度ＲＨＷを取得する。
【００５６】
ステップ１７２では、空調制御装置６０は、電動圧縮機４１を含む冷凍サイクル４０を制御する。ここでは、可用電力量Ｐｃｍ、結露センサ６２により検出された相対湿度ＲＨＷ、および冷却用熱交換器２４の表面温度などの信号に基づいて電動圧縮機４１の回転数が制御される。例えば、電動圧縮機４１は、結露センサ６２からの信号により示されるウインドシールド９の曇りを抑制するように制御される。ウインドシールド９に曇りが発生しているときには、冷却用熱交換器２４によって除湿された空気を室内に供給するように電動圧縮機４１が運転されることがある。また、冷房運転が必要ではないと判定されるとき、電動圧縮機４１が停止されることがある。
【００５７】
ステップ１７２では、開閉弁４７および切換弁４９も制御される。例えば、利用者が冷房運転から暖房運転への切換えを要求した場合、開閉弁４７および切換弁４９の状態は反転される。利用者が暖房運転から冷房運転への切換えを要求した場合にも、開閉弁４７および切換弁４９の状態は反転される。さらに、室温Ｔｒを目標温度Ｔｓｅｔに制御するための必要な吹出温度が得られるように、開閉弁４７および切換弁４９は自動的に制御される場合がある。
【００５８】
ステップ１７３では、空調制御装置６０は、冷凍サイクル４０が暖房運転されているか否かを判定する。冷凍サイクル４０が暖房運転されている場合、処理はステッププ１７４へ進む。冷凍サイクル４０が暖房運転されていない場合、すなわち冷房運転されているか、または停止している場合、ステップ１８０へ進む。
【００５９】
ステップ１７４では、空調制御装置６０は、利用者によってデフロスタ吹出モード（ＤＥＦモード）が要求されているか否かを判定する。空調制御装置６０は、操作パネル６１に設けられたＤＥＦスイッチからの信号に基づいて、ＤＥＦモードが要求されているか否かを判定することができる。ＤＥＦモードが要求されている場合、処理はステップ１７５へ進む。ＤＥＦモードが要求されていない場合、処理はステップ１８０へ進む。
【００６０】
ステップ１７５では、空調制御装置６０は、結露センサ６２の信号に基づいて、ウインドシールド９が曇り得る状態にあるか否かを判定する。以下では、ウインドシールド９が曇り得る状態を、可曇状態とも呼ぶ。空調制御装置６０は、結露センサ６２の信号に基づいて、可曇状態にあるか否かを判定する。例えば、結露センサ６２によって検出される相対湿度ＲＨＷが１００％前後の所定の閾値を上回る場合、可曇状態にあると判定することができる。可曇状態にある場合、処理はステップ１９０へ進む。可曇状態にない場合、処理はステップ１８０へ進む。
【００６１】
ステップ１７３−１７５は、間接加熱状態であるか否かを判定する間接加熱判定部（ＷＨＤＴ）６３を提供する。よって、冷凍サイクル４０が暖房状態にあり、ＤＥＦモードが要求されており、しかも可曇状態であるときに、間接的なウインドシールド９の加熱が必要であると判定される。
【００６２】
ステップ１８０では、空調制御装置６０は、第１の曇り抑制制御を実行する。ここでは、結露センサ６２の信号を利用して、ウインドシールド９の曇りを抑制するように空調装置２０がフィードバック制御される。空調装置２０は、高圧電池２の電力と、低圧電池７の電力との両方を利用してウインドシールド９の曇りを抑制する。ステップ１８０は、通常制御部６４を提供する。
【００６３】
ステップ１８１では、空調制御装置６０は、吹出モード切換装置３１を制御する。ここでは、利用者に快適な環境を提供するように、吹出モードが選択される。空調制御装置６０は、利用者が要求する吹出モードを実現するように吹出モード切換装置３１を制御する。さらに、自動制御が要求されるとき、空調制御装置６０は、吹出空気の温度に応じて自動的に適切な吹出モードを選択し、選択された吹出モードを実現するように吹出モード切換装置３１を制御することができる。
【００６４】
ステップ１８２では、空調制御装置６０は、空調ユニット２１内を流れる空気を加熱する制御を実行する。ここでは、室温Ｔｒを目標温度Ｔｓｅｔに調節するように、空調ユニット２１に含まれる空気を加熱するための要素が制御される。ステップ１８２は、室温Ｔｒを目標温度Ｔｓｅｔにフィードバック制御するように空気加熱装置をフィードバック制御する通常制御部６４を提供する。ここでは、エアミックスダンパ２５が制御される。さらに、加熱用熱交換器２６、すなわち冷凍サイクル４０が制御される。さらに、電気ヒータ２７が制御される。ステップ１８２により、室温Ｔｒが目標温度Ｔｓｅｔに制御され、快適な温度環境が提供される。
【００６５】
ステップ１８３では、空調制御装置６０は、内外気切換装置２２を制御する。ここでは、利用者の求めに応じて内気または外気が選択される。さらに、自動制御が要求されるとき、内外気切換装置２２は、結露センサ６２からの信号により示されるウインドシールド９の曇りを抑制するように制御される。
【００６６】
ステップ１８４では、空調制御装置６０は、ウインドシールド９を加熱するための窓加熱制御を実行する。ここでは、ウインドシールド９を直接的に加熱できる窓ヒータ１０が制御される。例えば、窓ヒータ１０は、結露センサ６２からの信号により示されるウインドシールド９の曇りを抑制するようにフィードバック制御される。ウインドシールド９に曇りが発生しているときには、窓ヒータ１０へ通電され、ウインドシールド９が加熱されることがある。ウインドシールド９が加熱されると、ウインドシールド９の表面における相対湿度が低下する。この結果、ウインドシールド９の曇りが抑制される。窓ヒータ１０は、ウインドシールド９の内側表面温度を、室内の空気の露点温度より高くするための加熱手段である。結露センサ６２からの信号によりウインドシールド９が曇らないと判定されるときには、窓ヒータ１０への通電が遮断される。
【００６７】
ステップ１８５では、空調制御装置６０は、送風機２３を制御する。空調制御装置６０は、利用者が要求する風量を実現するように送風機２３を制御する。さらに、自動制御が要求されるとき、空調制御装置６０は、室温Ｔｒを目標温度Ｔｓｅｔに制御するために必要な風量を実現するように送風機２３を自動的に制御することができる。
【００６８】
ステップ１８６では、空調制御装置６０は、空調装置２０の表示装置を制御する。例えば、空調制御装置６０は、現在の室温Ｔｒ、目標温度Ｔｓｅｔ、風量、吹出モードなどの空調状態を操作パネル６１に表示する。
【００６９】
ステップ１９０では、空調制御装置６０は、第２の曇り抑制制御を実行する。ここでは、空調制御装置６０は、空調装置２０によってウインドシールド９を間接的に加熱するように空調装置２０の運転状態を固定制御する。ステップ１９０は、ステップ１７３−１７５によって間接加熱状態であることが判定されると、その判定の直後から、必ず実行される。そして、ステップ１９０の処理は、間接加熱状態である間中、継続される。ステップ１９０は、固定制御部６５を提供する。
【００７０】
ステップ１９１では、空調制御装置６０は、吹出モード切換装置３１をＤＥＦモードに固定する。したがって、空調ユニット２１は、ウインドシールド９に向けて空気を吹き出す。
【００７１】
ステップ１９２では、空調制御装置６０は、吹出温度を最高温度とするための最高吹出温度制御を実行する。ステップ１９２は、固定制御部６５を提供する。ステップ１９２では、空調制御装置６０は、ステップ１８２が提供する通常制御部６４によるフィードバック制御に代わって、空気加熱装置を固定制御する。ステップ１９２では、空調制御装置６０は、最大限に空気を加熱するように空気加熱装置を固定制御する。
【００７２】
ステップ１９２では、空調制御装置６０は、エアミックスダンパ２５を最大暖房位置に固定的に位置付ける。エアミックスダンパ２５は、室温Ｔｒを目標温度Ｔｓｅｔにフィードバック制御するように制御される。しかし、この実施形態では、暖房状態にあるとき、目標吹出温度を実現するために、空気加熱要素である冷凍サイクル４０、および電気ヒータ２７による加熱量が制御される。よって、エアミックスダンパ２５は最大暖房位置に固定的に位置付けられる。
【００７３】
ステップ１９２では、空調制御装置６０は、加熱用熱交換器２６の目標温度ＴＡＶを最高温度ＴＶＡＨに設定する。目標温度ＴＡＶは、加熱用熱交換器２６の表面温度、または加熱用熱交換器２６によって加熱された空気の温度である。空調制御装置６０は、加熱用熱交換器２６において最高温度ＴＶＡＨが得られるように冷凍サイクル４０を制御する。
【００７４】
ステップ１９２では、電気ヒータ２７は作動状態に置かれない。よって、空調装置２０の吹出温度は、加熱用熱交換器２６、すなわち冷凍サイクル４０だけによって決定される。
【００７５】
ステップ１９１とステップ１９２とにより、ＤＥＦ吹出口からは、高い温度の空気が吹出される。高温の空気は、ウインドシールド９を加熱する。やがて、ウインドシールド９の温度は、室内の空気の露点温度を完全に上回るようになる。この結果、ウインドシールド９の曇りか抑制される。
【００７６】
この構成では、利用者がＤＥＦモードを要求しており、しかも曇り得る状態である場合に、吹出温度が最高温度に高められる。よって、高温の吹出空気による利用者の不快感は抑制される。
【００７７】
ステップ１９２の後、処理はステップ１８３へ進む。この結果、吹出モード切換装置３１および冷凍サイクル４０以外の低圧機器８は、通常制御部６４による可変制御の下におかれる。例えば、内外気切換装置２２、窓ヒータ１０、および送風機２３などの低圧機器８は作動可能な状態におかれる。
【００７８】
この実施形態によると、暖房状態にあり、ＤＥＦモードが要求され、さらに可曇状態である場合に、ウインドシールド９を空調装置２０によって間接的に加熱すべき間接加熱状態であることが判定される。間接加熱状態が判定されると、その直後から、必ず、ウインドシールド９の曇りを抑制するための措置が講じられる。しかも、ＤＥＦモードへの切換えと、空調装置２０からの吹出温度を最高温度に上昇させることとによって曇りが抑制される。
【００７９】
（第２実施形態）
図３は、第２実施形態に係る曇り抑制処理２７０を示す。この実施形態でも、図１と同じ構成が採用されている。この実施形態では、先行する実施形態のステップ１７５が採用されない。さらに、先行する実施形態のステップ１９２に代えて、ステップ２９２が採用されている。
【００８０】
この実施形態では、冷凍サイクル４０が暖房状態にあり、しかも、ＤＥＦモードが要求されているときに、処理はステップ１９０へ進む。
【００８１】
ステップ２９２では、空調制御装置６０は、予め設定された特性に基づいて加熱用熱交換器２６の目標温度ＴＡＶを設定する。目標温度ＴＡＶは、結露センサ６２によって検出される相対湿度ＲＨＷに応じて設定される。相対湿度ＲＨＷが高くなるにつれて、目標温度ＴＡＶは高く設定される。
【００８２】
相対湿度ＲＨＷが上限値ＲＨ２にあるとき、ウインドシールド９には高い確率で曇りが発生する。相対湿度ＲＨＷが下限値ＲＨ１にあるとき、ウインドシールド９には稀に曇りが発生する。よって、相対湿度ＲＨＷが上限値ＲＨ２にあるときは、ウインドシールド９が曇り得る状態にあると考えることができる。相対湿度ＲＨＷが上限値ＲＨ２にあるとき、目標温度ＴＡＶは最高温度ＴＡＶＨに設定される。一方、相対湿度ＲＨＷが下限値ＲＨ１にあるとき、目標温度ＴＡＶは最低温度ＴＡＶＬに設定される。上限値ＲＨ２と下限値ＲＨ１との間においては、相対湿度ＲＨＷに比例するように目標温度ＴＡＶが設定される。目標温度ＴＡＶの設定特性には、ヒステリシス特性が付与されている。
【００８３】
相対湿度ＲＨＷが上限値ＲＨ２より低いとき、目標温度ＴＡＶは最高温度ＴＡＶＨより低く設定される。相対湿度ＲＨＷが高くなるほど、曇りの可能性は高くなる。このステップにおける特性は、曇りの可能性が高くなるほど、加熱用熱交換器２６の目標温度、すなわち吹出温度を高く設定する。このため、曇りの可能性の高さに比例して、曇り抑制作用の強度が高められる。
【００８４】
相対湿度ＲＨＷが上限値ＲＨ２に到達すると、すなわち曇りの可能性が極めて高い状態となると、目標温度ＴＡＶは最高温度ＴＡＶＨに設定される。この実施形態では、相対湿度ＲＨＷが上限値ＲＨ２であることが、可曇状態に相当する。よって、このステップにおける特性は、上述の実施形態におけるステップ１７５の可曇状態であるか否かの判定を包含している。
【００８５】
この実施形態では、ステップ１７３、およびステップ１７４の判定に加えて、ステップ２９２における設定特性によって、間接加熱状態であるか否かが実施的に判定される。よって、ステップ１７３、１７４、およびステップ２９２によって間接加熱判定部６３が提供されている。言い換えると、ステップ２９２は、可曇状態判定部と固定制御部とを提供する。これら可曇状態判定部と固定制御部とは、ステップ２９２内に図示された、予め設定された設定特定によって提供される。この設定特性は、ウインドシールド９に曇りが発生する可能性の高さを示す相対湿度ＲＨＷが可曇状態に相当する上限値ＲＨ２に向けて高くなるほど、空気加熱装置２６による空気の加熱量ＴＡＶを大きく設定する。設定特性は、可能性の高さ（ＲＨＷ）が可曇状態（ＲＨ２）にあるとき、加熱量（ＴＡＶ）を最高値（ＴＡＶＨ）に設定するように設定されている。
【００８６】
この実施形態によると、先行する実施形態と同様の作用効果が得られる。さらに、この実施形態によると、相対湿度ＲＨＷが上限値ＲＨ２より低いとき、すなわち可曇状態よりも曇りの発生可能性が低いときにも、目標温度ＴＡＶ、すなわち吹出温度が高められる。しかも、相対湿度ＲＨＷの上昇につれて、目標温度ＴＡＶ、すなわち吹出温度は上昇する。よって、曇りの発生可能性の高まりに応じて、曇り抑制作用の強度を高めることができる。よって、曇りの発生が効果的に抑制される。
【００８７】
（第３実施形態）
図４は、第２実施形態に係る電動車両システムを示す。この実施形態では、空気加熱装置、および曇り抑制装置のひとつとして、温媒体を利用した熱交換器が設けられている。
【００８８】
温媒体熱交換器２８は、車両に搭載された熱源としての機器（ＨＳ）２９を冷却するための冷却媒体によって空調ユニット２１内を流れ室内に吹出される空気を加熱する。温媒体熱交換器２８は、空調ユニット２１内を流れる空気の少なくとも一部を加熱するように配置されている。温媒体熱交換器２８は、機器２９を冷却するための冷却システムの一部である。冷却媒体は、水などの熱輸送流体である。機器２９は、発熱する機器であって、例えば、車両に搭載された電気機器、インバータ回路、または内燃機関によって提供される。
【００８９】
温媒体熱交換器２８は、媒体が循環しているとき、機器２９から供給される熱によって空気を加熱することができる。よって、温媒体熱交換器２８は、それだけで、空気加熱装置のひとつを提供することができる。温媒体熱交換器２８は、電動圧縮機４１が停止しているときにもウインドシールド９に対する加熱機能を発揮できる空気加熱要素である。温媒体熱交換器２８は、ウインドシールド９を間接的に加熱できる加熱要素のひとつである。温媒体熱交換器２８は、ウインドシールド９の温度を上昇させることにより、間接的にウインドシールド９の曇りを抑制する。温媒体熱交換器２８は、曇り抑制装置のひとつである。
【００９０】
温媒体熱交換器２８を含む冷却システムは、冷却媒体を加熱するための電気的な媒体ヒータ３０を備える。媒体ヒータ３０は、温媒体熱交換器２８を通して、電力によって空調ユニット２１内を流れる空気を加熱する。媒体ヒータ３０は、空調ユニット２１内を流れる空気の少なくとも一部を、間接的に加熱するように配置されている。媒体ヒータ３０は、電気的な発熱素子によって提供される。媒体ヒータ３０は、ＰＴＣ（Positive Temperature Coefficient）ヒータと呼ばれる発熱素子によって提供される。媒体ヒータ３０は、高圧機器５のひとつである。媒体ヒータ３０は、高圧電池２から給電される。
【００９１】
媒体ヒータ３０は、媒体と温媒体熱交換器２８とを介して、空気を加熱することができる。よって、媒体ヒータ３０は、温媒体熱交換器２８とともに作動状態におかれることによって、空気を加熱する。よって、温媒体熱交換器２８並びに媒体ヒータ３０を含む組合せ装置は、空気加熱装置のひとつを提供する。媒体ヒータ３０は、電動圧縮機４１が停止しているときにもウインドシールド９に対する加熱機能を発揮できる空気加熱要素である。媒体ヒータ３０は、ウインドシールド９を間接的に加熱できる加熱要素のひとつである。媒体ヒータ３０は、ウインドシールド９の温度を上昇させることにより、間接的にウインドシールド９の曇りを抑制する。媒体ヒータ３０は、曇り抑制装置のひとつである。
【００９２】
図５は、第３実施形態に係る曇り抑制処理３７０を示す。この実施形態のステップ１８２では、先行する実施形態に加えて、温媒体熱交換器２８に流れる媒体の流量が制御され、さらに、媒体ヒータ３０が制御される。この実施形態では、先行する実施形態のステップ１９２に代えてステップ３９２が採用されている。さらに、ステップ３９２の後に、ステップ３９３、３９４が追加されている。
【００９３】
ステップ３９２では、空調制御装置６０は、吹出温度を最高温度とするための最高吹出温度制御を実行する。ステップ３９２では、空調制御装置６０は、エアミックスダンパ２５を最大暖房位置に固定的に位置付ける。ステップ３９２では、空調制御装置６０は、加熱用熱交換器２６の目標温度ＴＡＶを最高温度ＴＶＡＨに設定する。空調制御装置６０は、加熱用熱交換器２６において最高温度ＴＶＡＨが得られるように冷凍サイクル４０を制御する。
【００９４】
さらに、ステップ３９２では、空調制御装置６０は、電気ヒータ２７をＯＮ状態、すなわち作動状態に固定する。電気ヒータ２７は、最大の加熱能力を発揮することにより空気を最高温度に加熱する。
【００９５】
さらに、ステップ３９２では、空調制御装置６０は、温媒体熱交換器２８により空気を加熱するために媒体を循環させることができる。例えば、空調制御装置６０は、媒体の循環経路に配置された電動ポンプを作動させることにより媒体を循環させる。この結果、機器２９から得られる熱は、媒体を加熱し、さらに温媒体熱交換器２８において空気を加熱する。よって、温媒体熱交換器２８は、作動状態に固定制御される。ステップ３９２では、温媒体熱交換器２８の目標温度を最高温度に設定することにより温媒体熱交換器２８を固定制御する。目標温度は、温媒体熱交換器２８の表面温度、または温媒体熱交換器２８によって加熱された直後の空気の温度である。温媒体熱交換器２８は、機器２９から供給される熱を利用した最大の加熱能力を発揮することにより空気を最高温度に加熱する。
【００９６】
さらに、ステップ３９２では、空調制御装置６０は、媒体ヒータ３０をＯＮ状態、すなわち作動状態に固定する。媒体ヒータ３０から供給される熱は、媒体を加熱し、さらに温媒体熱交換器２８において空気を加熱する。媒体ヒータ３０は、最大の加熱能力を発揮することにより空気を最高温度に加熱する。
【００９７】
ステップ３９３では、空調制御装置６０は、内外気切換装置２２を外気モードに固定する。したがって、空調ユニット２１は、湿度が比較的低い外気を導入する。よって、空調ユニット２１は、室内に向けて湿度が比較的低い空気を供給することにより、ウインドシールド９の曇りを抑制する。
【００９８】
ステップ３９４では、空調制御装置６０は、窓ヒータ１０をＯＮ状態に固定する。窓ヒータ１０は、結露センサ６２の信号に依存することなく作動状態に固定される。よって、ウインドシールド９は継続的に加熱される。この結果、ウインドシールド９の曇りが抑制される。ステップ３９４の後、処理はステップ１８５へ進む。
【００９９】
この実施形態においても、上記実施形態と同様の作用効果を得ることができる。さらに、この実施形態のひとつの側面では、空調装置２０に設けられた複数の空気加熱要素２６、２７、２８、３０によって空気が最高温度に加熱される。よって、ウインドシールド９の間接的な加熱が促進される。
【０１００】
また、この実施形態の他のひとつの側面では、空調装置２０から吹出される空気の湿度を低下させるための装置が利用される。具体的には、内外気切換装置２２が外気モードに固定される。よって、ウインドシールド９の間接的な加熱に加えて、低湿度の空気によっても曇りが抑制される。
【０１０１】
また、この実施形態の他のひとつの側面では、空気加熱要素２６、２７、２８、３０に加えて、さらに窓ヒータ１０によってウインドシールド９が直接的に加熱される。よって、ウインドシールド９の加熱が促進される。
【０１０２】
（第４実施形態）
図６は、この実施形態の電動車両システム１を示す。この実施形態の電動車両システム１は、結露センサを備えない。図７は、第４実施形態に係る曇り抑制処理４７０を示す。この実施形態では、先行する実施形態のステップ１７５に代えてステップ４７５が採用されている。この実施形態では、結露センサ６２を用いることなく、曇り抑制制御１８０、１９０が実行される。まず、ステップ１８０では、結露センサ６２を用いることなく空調装置２０が制御される。
【０１０３】
図８は、ステップ４７５の細部を示す。図中には、判定のための閾値の具体的な温度値（°Ｃ）が例示されている。ステップ４７５では、結露センサ６２を用いることなく、複数のセンサによって検出された情報に基づいてウインドシールド９が曇り得る状態であるか否かを判定する。
【０１０４】
ステップ４７５ａでは、空調制御装置６０は、電動車両の走行速度ＳＰＤが所定の閾値を上回るか否かを判定する。閾値は、ウインドシールド９が走行風によって冷却され、ウインドシールド９の温度が低下するような速度に設定される。ステップ４７５ａにおける判定特性は、ヒステリシス特性をもつ関数ｆ１（ＳＰＤ）によって与えられる。走行速度ＳＰＤが閾値より低い場合、処理はＮＯ、すなわちステップ１８０へ進む。走行速度ＳＰＤが閾値より高い場合、処理はステップ４７５ｂへ進む。
【０１０５】
ステップ４７５ｂでは、空調制御装置６０は、外気温度Ｔａｍが所定の閾値を上回るか否かを判定する。閾値は、ウインドシールド９に曇りが生じる可能性のある温度に設定される。ステップ４７５ｂにおける判定特性は、ヒステリシス特性をもつ関数ｆ２（Ｔａｍ）によって与えられる。外気温度Ｔａｍが閾値より高い場合、処理はＮＯ、すなわちステップ１８０へ進む。外気温度Ｔａｍが閾値より低い場合、処理はステップ４７５ｃへ進む。
【０１０６】
ステップ４７５ｃでは、空調制御装置６０は、室温Ｔｒが所定の閾値を上回るか否かを判定する。閾値は、ウインドシールド９に曇りが生じる可能性のある温度に設定される。ステップ４７５ｃにおける判定特性は、ヒステリシス特性をもつ関数ｆ３（Ｔｒ）によって与えられる。室温Ｔｒが閾値より高い場合、処理はＮＯ、すなわちステップ１８０へ進む。室温Ｔｒが閾値より低い場合、処理はステップ４７５ｄへ進む。
【０１０７】
ステップ４７５ｄでは、空調制御装置６０は、目標吹出温度ＴＡＯが所定の閾値を上回るか否かを判定する。目標吹出温度ＴＡＯは、室温Ｔｒを目標温度Ｔｓｅｔにフィードバック制御するために必要な吹出空気の温度である。目標吹出温度ＴＡＯは空調制御装置６０内において演算される室温制御のための制御変数のひとつである。例えば、目標吹出温度ＴＡＯは、目標温度Ｔｓｅｔ、室温Ｔｒ、外気温度Ｔａｍ、日射量Ｔｓ、定数Ｃ、および係数Ｋｓ、Ｋｒ、Ｋａ、Ｋｓから演算することができる。例えば、ＴＡＯ＝Ｔｓｅｔ・Ｋｓｅｔ−Ｔｒ・Ｋｒ−Ｔａｍ・Ｋａ−Ｔｓ・Ｋｓ＋Ｃの演算式が知られている。閾値は、ウインドシールド９に曇りが生じる可能性のある温度に設定される。ステップ４７５ｄにおける判定特性は、ヒステリシス特性をもつ関数ｆ４（ＴＡＯ）によって与えられる。目標吹出温度ＴＡＯが閾値より高い場合、処理はＮＯ、すなわちステップ１８０へ進む。目標吹出温度ＴＡＯが閾値より低い場合、処理はステップ４７５ｅへ進む。
【０１０８】
ステップ４７５ｅでは、空調制御装置６０は、日射量Ｔｓが所定の閾値を上回るか否かを判定する。閾値は、ウインドシールド９に曇りが生じる可能性のある日射量に設定される。ステップ４７５ｅにおける判定特性は、ヒステリシス特性をもつ関数ｆ５（Ｔｓ）によって与えられる。日射量Ｔｓが閾値より高い場合、処理はＮＯ、すなわちステップ１８０へ進む。日射量Ｔｓが閾値より低い場合、処理はＹＥＳ、すなわちステップ１９０へ進む。
【０１０９】
この実施形態によると、ウインドシールド９の温度に影響を与える情報、および室内の空調状態を示す情報の組み合わせに基づいて、可曇状態であるか否かの判定を実行できる。よって、結露センサ６２に依存することなく、可曇状態であるか否かを判定することができる。
【０１１０】
（他の実施形態）
以上、開示された発明の好ましい実施形態について説明したが、開示された発明は上述した実施形態に何ら制限されることなく、種々変形して実施することが可能である。上記実施形態の構造は、あくまで例示であって、開示された発明の技術的範囲はこれらの記載の範囲に限定されるものではない。開示された発明の技術的範囲は、特許請求の範囲の記載によって示され、さらに特許請求の範囲の記載と均等の意味及び範囲内での全ての変更を含むものである。
【０１１１】
例えば、制御装置が提供する手段と機能は、ソフトウェアのみ、ハードウェアのみ、あるいはそれらの組合せによって提供することができる。例えば、制御装置をアナログ回路によって構成してもよい。
【０１１２】
例えば、上記実施形態では、２つの室内熱交換器２４、２６を備える冷凍サイクル４０によってヒートポンプサイクルを提供した。これに代えて、単一の室内熱交換器を備え、この単一の室内熱交換器を冷却用途と加熱用途とに切換えるヒートポンプサイクルを採用してもよい。例えば、室内熱交換器を蒸発器とする運転モードと、室内熱交換器を放熱器とする運転モードとを切換え可能な反転型のヒートポンプサイクルを採用することができる。
【０１１３】
上記実施形態では、冷凍サイクル４０の加熱用熱交換器２６、すなわち室内熱交換器の目標温度を最高温度に設定することによりウインドシールド９を間接的に加熱した。具体的には、第１実施形態では、加熱用熱交換器２６の目標温度だけを最高温度に固定制御した。これに代えて、電気ヒータ２７だけを作動状態とし、その目標温度を最高温度に固定制御してもよい。また、第３実施形態では、冷凍サイクル４０、電気ヒータ２７、温媒体熱交換器２８、および媒体ヒータ３０のすべてを作動状態に固定制御した。これに代えて、少なくともひとつの空気加熱装置を空気を最大限に加熱するように固定制御してもよい。例えば、冷凍サイクル４０、電気ヒータ２７、温媒体熱交換器２８、および温媒体熱交換器２８並びに媒体ヒータ３０の少なくともふたつを作動状態とし、それらの目標温度を最高温度に固定制御してもよい。
【０１１４】
上記実施形態では、間接加熱状態においても通常の風量制御を実行した。これに代えて、間接加熱状態においては、風量を増加することによりウインドシールド９の加熱を促進してもよい。
【０１１５】
上記実施形態では、間接加熱状態においても通常の表示制御を実行した。これに代えて、間接加熱状態においては、固定制御されている要素を表示することにより、制限されている機能を利用者に知らせてもよい。
【０１１６】
上記実施形態では、ウインドシールド９を間接的に加熱する装置として、加熱用熱交換器２６、電気ヒータ２７、温媒体熱交換器２８、および媒体ヒータ３０のすべてを備える一例を示したが、これらの少なくともひとつを備える構成を採用してもよい。また、低圧機器８には、座席を暖めるシートヒータ、および／またはステアリングホイールを暖めるステアリングヒータなどの追加的な電気的ヒータを採用することができる。また、媒体ヒータ３０を低圧機器８とし、媒体ヒータ３０に低圧電池７から給電するように構成し、曇り抑制装置として利用してもよい。
【０１１７】
上記実施形態では、電動車両用の空調装置を例示した。これに代えて、開示された車両用空調装置は、内燃機関のみを動力源として備える車両にも適用することができる。
【符号の説明】
【０１１８】
１  電動車両システム、２  高圧電池、３  電池制御装置、４  電動機、
５  高圧機器、６  コンバータ、７  低圧電池、８  低圧機器、
９  ウインドシールド、１０  窓ヒータ、２０  車両用の空調装置、
２１  空調ユニット、２２  内外気切換装置、２３  送風機、
２４  冷却用熱交換器、２５  エアミックスダンパ、２６  加熱用熱交換器、
２７  電気ヒータ、２８  温媒体熱交換器、２９  機器、３０  媒体ヒータ、
３１  吹出モード切換装置、
４０  冷凍サイクル、  ４１  電動圧縮機、
６０  空調制御装置、６１  操作パネル、６２  結露センサ、
６３  間接加熱判定部、６４  通常制御部、６５  固定制御部。
【図１】
2014008859.tif 000003
【図２】
2014008859.tif 000004
【図３】
2014008859.tif 000005
【図４】
2014008859.tif 000006
【図５】
2014008859.tif 000007
【図６】
2014008859.tif 000008
【図７】
2014008859.tif 000009
【図８】
2014008859.tif 000010